(57)【要約】【課題】ＬＥＤを用いた光源の輝度向上と構造の改良。【解決手段】基板１、載置台２、及びＬＥＤ素子３より構成され、該基板は基板を貫通する一つ以上の通孔１１を設けてなると共に、該基板表面には接点１２を設けてなり、該載置台は金属製として基板を貫通する通孔内に収容され、該ＬＥＤ素子は、載置台の上に搭載されて、導線３１により基板上の接点と電気的に接続され、また、通孔は拡大した開口を形成して反射面とする。載置台はその熱伝導性及び導電性により電流供給量を増加を可能とし、また、通孔側面の反射光効果により、光源輝度を向上する。【選択図】図６
0003120384.tif 000002
【実用新案登録請求の範囲】
【請求項１】
基板、載置台、及びＬＥＤ素子より構成され、
該基板は、基板を貫通する一つ以上の通孔を設けてなると共に、該基板の表面には複数の接点を設けてなり、
該載置台は、基板を貫通する通孔内に収容されてなると共に、金属により形成されてなり、
該ＬＥＤ素子は、載置台の上に搭載されてなると共に、ＬＥＤ素子は導線により基板上の接点と電気的に接続してなることことを特徴とした、ＬＥＤの構造改良。
【請求項２】
前記通孔は、円柱形にてなり、円柱形は上部に向かって徐々に拡大してなることを特徴とした、請求項１に記載のＬＥＤの構造改良。
【請求項３】
前記載置台は、更に基板の底部に対して支持する支持部を設けてなることを特徴とした、請求項１に記載のＬＥＤの構造改良。
【請求項４】
前記通孔は、更に反射効果を備える金属層を備えてなると共に、金属層は銀或いは錫にてなることを特徴とした、請求項１に記載のＬＥＤの構造改良。
【考案の詳細な説明】
【技術分野】
【０００１】
本考案は、ＬＥＤ素子による光線が照射する強度を増強可能であると共に、更に多くの電流を供給可能とし、ＬＥＤ素子に放熱の効果を達成させることを特徴としたＬＥＤ構造の改良に関する。
【背景技術】
【０００２】
ＬＥＤ（Ｌｉｇｈｔ  Ｅｍｉｔｔｉｎｇ  Ｄｉｏｄｅ）は使用寿命が長く、体積が小さく精巧で保存が容易であり、消費電量が低い等の長所があり、蛍光灯のように水銀等の有害物質を含まず、環境を汚染せず、現在市場ではＬＥＤの発展に対し極めて大きな期待が寄せられている。
【０００３】
図７に示すように、公知のＬＥＤ構造はプリント基板Ａ１及びＬＥＤＡ２より構成され、ＬＥＤＡ２は導電材質である鉄製或いは銅製のピンＡ１１を備えてなり、鉄製或いは銅製のピンＡ１１はプリント基板Ａ１に穿入してなり、半田Ａ１２をによって鉄製或いは銅製のピンＡ１１をプリント基板Ａ１の片面に半田付けされ、鉄製或いは銅製のピンＡ１１はエポキシ樹脂を利用して接着される為、放熱効果を得ることが難しいことが致命的であり、又ＬＥＤＡ２の動作温度と明るさの絶対的関係により、放熱が良好であるかどうかはＬＥＤの構造の良し悪しを判断する上で重要な根拠となっている。
図８に示すように、公知のＬＥＤ構造は、プリント基板Ｂ１、ＬＥＤＢ２、導線Ｂ３、及び反射蓋Ｂ４より構成され、該ＬＥＤ構造は導電接点Ｂ１１を備えるプリント基板Ｂ１を設けてなると共に、プリント基板Ｂ１上にはＬＥＤＢ２を設置してなり、ＬＥＤＢ２と導線Ｂ３の一端を接続すると共に、導線Ｂ３のＬＥＤＢ２と離れた他端側とプリント基板Ｂ１に設置される導電接点Ｂ１１を接続し、ＬＥＤＢ２が発した光線を反射蓋Ｂ４を経て集中させることができるが、ＬＥＤはプリント基板Ｂ１及び反射蓋Ｂ４を組み立てた後に初めて使用可能となり組み立てる時間を消費するだけではなく製造コストも大幅に増加する。
【特許文献１】特開２００５−３１１３１４号公報
【特許文献２】特開２００６−１３２３７号公報
【考案の開示】
【考案が解決しようとする課題】
【０００４】
基板に設けられる通孔には載置台を設置してなり、載置台を利用しＬＥＤ素子を搭載し、ＬＥＤ素子が載置台により放熱効果を達成すると共に、該載置台はＬＥＤ素子に比較的大きな電流を提供することができ、更に該基板の色は白色や銀色等にてなり、通孔表面はＬＥＤ素子が照射する光線を反射することができ、光の使用効率を上昇させ、通孔の表面は金属層を設けることにより、ＬＥＤ素子が照射する光線を通孔の反射を経由して集中させることを可能とし、ＬＥＤ素子が照射する光線の明るさの強化を達成することを目的とする。
【課題を解決するための手段】
【０００５】
基板、載置台、及びＬＥＤ素子より構成され、該基板は一つ或いは一つ以上の基板を貫通する通孔を設けてなると共に、該基板の表面には複数の接点を設けてなり、該載置台は基板を貫通する通孔内に収容されてなると共に、金属により製成されてなることができ、該ＬＥＤ素子は、載置台の上に搭載されてなると共に、ＬＥＤ素子は導線を利用して基板が設ける接点と電気的に接続してなる。
【考案の効果】
【０００６】
上述により、本考案のＬＥＤ構造の改良は実際使用時に以下の長所を備える。
１、基板１が形成する通孔１１内に載置台２を収容してなり、載置台２はＬＥＤ素子３を搭載してなり、ＬＥＤ素子３は載置台２を通して放熱効果を達成すると共に、載置台２によりＬＥＤにより多くの電流を供給することができ、公知の装置における放熱が難しく電流の流量が小さいという問題を解決している。
２、基板１上には通孔１１が形成されてなると共に、通孔１１自身がＬＥＤ素子３により発せられる光線を集中させることができ、公知のＬＥＤ構造において生じる別途光線を集中するフレームを製造しなければならず、製造コストを増加させる問題を解決している。
３、基板１が設ける通孔１１を利用し光線を集中させ、ＬＥＤ素子３が照射する光線の強度を増強させることができる。
【考案を実施するための最良の形態】
【０００７】
上述の目的及び効果を達成する為、本考案の目的、構造技術の特徴、及び効果を図に従い詳細に説明する。
図１、２に示すように、本考案のＬＥＤは基板１上に一つ或いは一つ以上の基板を貫通する通孔１１を備えてなり、基板１の表面には複数個の接点１２を設けてなると共に、載置台２は基板１を貫通する通孔１１内に収容されてなり、載置台２はＬＥＤ素子３を設置してなると共に、ＬＥＤ素子３と導線３１の一端を接続し、導線３１の他端は基板１に設けた接点１２に接続してなり、ＬＥＤ素子３と基板１が設置する接点１２は導線３１を通して電気的に接続する。
【０００８】
上述の説明において、該基板１は更にプリント基板にてなり、載置台２は更に金属製の部材によりなることができ、導線３１は更に金線或いはアルミ線にてなることができ、ＬＥＤの適応性と適用範囲を増加させているが、本考案の特許範囲を制限するものではなく、類似するものも本考案の範囲内とする。
【０００９】
図３に示すように、本考案は導線３１を介して基板１上の接点１２と載置台２上に設置されたＬＥＤ素子３との間に電流を通じ、ＬＥＤ素子３は発光して、その光線は通孔１１によって反射されて光線を集中し、ＬＥＤから照射する光量を増す。
【００１０】
第４〜６図に示すように、本考案の他の実施例は、該ＬＥＤが設ける通孔１１は一方側は開口が広く、反対側は徐々に狭くなっていく他に、該通孔１１は円柱形にてなり、円柱形の頂点は外部に向かって徐々に広くなり（図４参照）、更に基板１の通孔１１内に収容される載置台２は金属により形成され、載置台２は基板１の底部に設置されて支持する支持部２１を設けてなり（図５，６参照）、ＬＥＤ素子３の放熱効果を強化すると共に、ＬＥＤにより多くの電流を供給可能とし、この他、基板１に設置する通孔１１及びＬＥＤ素子３を設置した載置台２の表面には更に反射効果を備える金属層（例えば銀や錫）を備えてなり、ＬＥＤ素子３が照射する光線の強度を向上する。上記は、本考案の特許範囲を制限するものではなく、類似するものも本考案の範囲内とする。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の立体図である。
【図２】本考案の断面図である。
【図３】本考案の使用時の図である。
【図４】本考案の他の実施例の断面図である。
【図５】本考案の他の実施例の立体図である。
【図６】本考案の他の実施例の断面図である。
【図７】公知のＬＥＤの構造図である。
【図８】他の公知のＬＥＤの構造図である。
【符号の説明】
【００１３】
１ 基板
１１ 通孔
１２ 接点
２ 載置台
２１ ブッシュ
３ ＬＥＤ素子
３１ 導線
Ａ１ プリント基板
Ａ１１ ピン
Ａ１２ 半田
Ａ２ ＬＥＤ
Ｂ１ プリント基板
Ｂ１１ 導電接点
Ｂ２ ＬＥＤ
Ｂ３ 導線
Ｂ４ 反射蓋
【図１】
0003120384.tif 000003
【図２】
0003120384.tif 000004
【図３】
0003120384.tif 000005
【図４】
0003120384.tif 000006
【図５】
0003120384.tif 000007
【図６】
0003120384.tif 000008
【図７】
0003120384.tif 000009
【図８】
0003120384.tif 000010